(57)【要約】【課題】配管類配設ルートに沿って複数の化粧カバーＡを予め取付ける工法を採用する場合でも、この体裁良く接続された化粧カバーＡの美感を損なうこと無く、複数の化粧カバーＡによって形成される配設通路Ｒの所定箇所を簡単、容易に遮断して、害虫の侵入や悪臭の流入等を抑制することができるとともに、前記遮断体６による遮断機能を長期間にわたって良好に維持することができ、しかも、化粧カバーＡ内に配管類を配設する場合の遮断体６の撤去も迅速、容易に行うことができるようにする。【解決手段】  二分割構造の化粧カバーＡの複数個を接続して配管類の配設通路Ｒを連続形成してある化粧カバー構造であって、配設通路Ｒの特定箇所に相当する化粧カバーＡ内に、配設通路Ｒを遮断する遮断体６を脱着自在に設け、この遮断体６を遮断姿勢に維持する姿勢維持手段７を設けてある。【選択図】図４
2008121824.tif 000002
【特許請求の範囲】
【請求項１】
二分割構造の化粧カバーの複数個を接続して配管類の配設通路を連続形成してある化粧カバー構造であって、
前記配設通路の特定箇所に相当する化粧カバー内に、配設通路を遮断又はそれに近い状態で閉止する遮断体を脱着自在に設け、この遮断体を遮断姿勢に維持する姿勢維持手段を設けてある化粧カバー構造。
【請求項２】
前記遮断体が弾性変形可能な板状に構成されている請求項１記載の化粧カバー構造。
【請求項３】
前記姿勢維持手段が、前記化粧カバーの内周面に突設された突起と遮断体との係合により該遮断体を遮断姿勢に維持する係合手段である請求項１又は２記載の化粧カバー構造。
【請求項４】
前記姿勢維持手段が、前記化粧カバーの内周面に接当可能な状態で遮断板の周方向複数箇所に形成された接当片から構成されている請求項１又は２記載の化粧カバー構造。
【請求項５】
前記係合手段が、前記化粧カバーの内周面に突設された突起に対して跨る状態で表裏に係合させるために前記遮断体に形成されたスリットから構成されている請求項３記載の化粧カバー構造。
【請求項６】
前記スリットが、前記遮断体の周方向複数箇所に形成されている請求項５記載の化粧カバー構造。
【請求項７】
前記化粧カバーの内周面の突起が、これに接続される他の化粧カバーの先端面と接続方向から接当することにより該化粧カバーの接続長さを規制する規制片から構成されている請求項３記載の化粧カバー構造。
【請求項８】
配管類の配設通路を形成する二分割構造の化粧カバーにおける内周面の特定部位の横断輪郭形状と同一又はそれに近い輪郭形状に構成された弾性変形可能な遮断体に、前記化粧カバーの内周面に突設された突起との係合により該遮断体を遮断姿勢に維持する姿勢維持手段が設けられている化粧カバー用遮断具。
【請求項９】
前記姿勢維持手段が、前記化粧カバーの内周面に突設された突起に対して跨る状態で表裏に係合させるために前記遮断体の周方向複数箇所に形成されたスリットから構成されている請求項８記載の化粧カバー用遮断具。
【発明の詳細な説明】
【技術分野】
【０００１】
本発明は、二分割構造の化粧カバーの複数個を接続して配管類の配設通路を連続形成してある化粧カバー構造及びそれに用いられる遮断具に関する。
【背景技術】
【０００２】
従来のマンション等における空調設備をみると、空調機の設置前においては、壁等の躯体に貫通形成された配管挿通孔に、これを閉止する閉塞キャップを装着していたが、近年では、室内機取付け予定位置と室外機設置予定位置との間にわたる配管類配設ルートに沿って配管類の配設通路を形成する複数の化粧カバーを予め取付けておく工法が採用されている。そのため、予め取付けられた複数の化粧カバーによって室外側から室内側にわたる配設通路が形成されるため、この配設通路を通して害虫や悪臭等が侵入する問題が発生していた。
【０００３】
このような問題を解決する方法として、配設通路の最外側端部を構成する最終の化粧カバーに、それの開口を覆うビニール袋を外套し、このビニール袋の開口端部を化粧カバーの外面にゴム輪や紐等で止め付ける方法が考えられる。
【発明の開示】
【発明が解決しようとする課題】
【０００４】
上述の解決方法では、体裁良く接続された化粧カバーの最終外端部にビニール袋等が外套状態で露出するため、化粧カバーによる美感が損なわれるばかりでなく、ビニール袋等を止め付けているゴム輪や紐等の緩みや損傷等によってビニール袋が外れ易い。
【０００５】
本発明は、上述の実状に鑑みて為されたものであって、その主たる課題は、体裁良く接続された化粧カバーの美感を損なうこと無く、複数の化粧カバーによって形成される配設通路の所定箇所を簡単、容易に遮断して、害虫の侵入や悪臭の流入等を抑制することができるとともに、その遮断効果を長期にわたって良好に維持することができ、しかも、配管類を配設する場合の撤去も迅速、容易に行うことのできる化粧カバー構造及び化粧カバー用遮断具を提供する点にある。
【課題を解決するための手段】
【０００６】
本発明による第１の特徴構成は、二分割構造の化粧カバーの複数個を接続して配管類の配設通路を連続形成してある化粧カバー構造であって、
前記配設通路の特定箇所に相当する化粧カバー内に、配設通路を遮断又はそれに近い状態で閉止する遮断体を脱着自在に設け、この遮断体を遮断姿勢に維持する姿勢維持手段を設けた点にある。
【０００７】
上記特徴構成によれば、例えば、室内機取付け予定位置と室外機設置予定位置との間にわたる配管類配設ルートに沿って、配管類の配設通路を形成する複数の化粧カバーを予め取付けておく工法を採用する場合でも、この複数の化粧カバーの接続によって構成される室外側から室内側に連通する配設通路のうち、防虫や防臭等に適した最外側端部等の特定位置に相当する化粧カバー内に遮断体を設けることにより、害虫の侵入や悪臭の流入等を抑制することができる。
【０００８】
しかも、前記遮断体を化粧カバー内に設けながらも、化粧カバーの二分割構造を利用して遮断体の脱着を迅速・容易に行うことができ、更に、前記姿勢維持手段によって化粧カバー内の遮断体を遮断姿勢に維持することができるから、遮断体の脱落等を抑制することができる。
【０００９】
従って、配管類配設ルートに沿って複数の化粧カバーを予め取付ける工法を採用する場合でも、この体裁良く接続された化粧カバーの美感を損なうこと無く、複数の化粧カバーによって形成される配設通路の所定箇所を簡単、容易に遮断又はそれに近い状態で閉止して、害虫の侵入や悪臭の流入等を抑制することができるとともに、前記遮断体による遮断機能を長期間にわたって良好に維持することができ、しかも、化粧カバー内に配管類を配設する場合の遮断体の撤去も迅速、容易に行うことができる。
【００１０】
本発明の化粧カバー構造による第２の特徴構成は、前記遮断体が弾性変形可能な板状に構成されている点にある。
【００１１】
上記特徴構成によれば、前記遮断体の輪郭形状を、化粧カバーの内周面における特定部位の横断輪郭形状より若干大きくしても、化粧カバーの分割カバー体同士を接合したとき、遮断体が若干弾性変形しながら化粧カバーの内周面に接当するから、防虫・防臭効果の向上とともに、前記遮断体の位置ズレや脱落等に起因する遮断機能の低下又は喪失を抑制することができる。
【００１２】
本発明の化粧カバー構造による第３の特徴構成は、前記姿勢維持手段が、前記化粧カバーの内周面に突設された突起と遮断体との係合により該遮断体を遮断姿勢に維持する係合手段から構成されている点にある。
【００１３】
上記特徴構成によれば、前記遮断体を化粧カバーの内周面に突設された突起に係合させることにより、該遮断体を化粧カバーに対して遮断姿勢に維持することができるから、化粧カバーに振動等が加わっても、遮断体を所期の遮断姿勢に維持することができる。
特に、前記遮断体が弾性変形可能な板状に構成されている場合には、それの弾性復元力で化粧カバーの内周面の突起に係合させることにより、前記化粧カバーに対する遮断体の位置ズレや脱落等に起因する遮断機能の低下又は喪失を良好に抑制することができる。
【００１４】
本発明の化粧カバー構造による第４の特徴構成は、前記姿勢維持手段が、前記化粧カバーの内周面に接当可能な状態で遮断板の周方向複数箇所に形成された接当片から構成されている点にある。
【００１５】
上記特徴構成によれば、前記化粧カバーの内周面に突起等が存在しない条件下においても、前記遮断板の周方向複数箇所に形成された接当片を化粧カバーの内周面に接当させることによって、遮断体を化粧カバーに対して遮断姿勢に維持することができるから、直管状の化粧ダクトであっても簡単に施工することができる。
【００１６】
本発明の化粧カバー構造による第５の特徴構成は、前記係合手段が、前記化粧カバーの内周面に突設された突起に対して跨る状態で表裏に係合させるために前記遮断体に形成されたスリットから構成されている点にある。
【００１７】
上記特徴構成によれば、前記遮断体に形成されたスリットを境にして、それの両側に位置する部分を化粧カバーの内周面に突設された突起に対して跨る状態で表裏に係合させることにより、前記遮断体の装着作業の容易性を維持しつつ該遮断体を化粧カバーに対して遮断姿勢に確実、強固に取付けることができる。
【００１８】
本発明の化粧カバー構造による第６の特徴構成は、前記スリットが、前記遮断体の周方向複数箇所に形成されている点にある。
【００１９】
上記特徴構成によれば、前記スリットが遮断体の１箇所に形成されている場合に比して、遮断体を化粧カバーに対して遮断姿勢に確実、強固に取付けることができる。
【００２０】
本発明の化粧カバー構造による第７の特徴構成は、前記化粧カバーの内周面の突起が、これに接続される他の化粧カバーの先端面と接続方向から接当することにより該化粧カバーの接続長さを規制する規制片から構成されている点にある。
上記特徴構成によれば、前記化粧カバー同士の接続長さを規制するために各化粧カバーの受口側に設けられている規制片を利用して、化粧カバーの受口にできるだけ近い位置で配設通路を遮断することができるとともに、配設通路を構成する任意の化粧カバーに遮断体を取付けることができる。
【００２１】
本発明の化粧カバー用遮断具による第８の特徴構成は、配管類の配設通路を形成する二分割構造の化粧カバーにおける内周面の特定部位の横断輪郭形状と同一又はそれに近い輪郭形状に構成された弾性変形可能な遮断体に、前記化粧カバーの内周面に突設された突起との係合により該遮断体を遮断姿勢に維持する姿勢維持手段が設けられている点にある。
【００２２】
上記特徴構成によれば、前記遮断体の輪郭形状を、化粧カバーの内周面の特定部位の横断輪郭形状と同一又はそれに近い輪郭形状に構成してあるから、化粧カバーの分割カバー体同士を接合したとき、遮断体で配設通路を遮断又はそれに近い状態で閉止することができるとともに、前記遮断体を化粧カバーの内周面に突設された突起に係合させることにより、該遮断体を化粧カバーに対して遮断姿勢に維持することができるから、化粧カバーに振動等が加わっても、遮断体を所期の遮断姿勢に維持することができる。
特に、前記遮断体が弾性変形可能な板状に構成されているので、それの弾性復元力で化粧カバーの内周面の突起に係合させることができ、前記化粧カバーに対する遮断体の位置ズレや脱落等に起因する遮断機能の低下又は喪失を良好に抑制することができる。
【００２３】
本発明の化粧カバー用遮断具による第９の特徴構成は、前記姿勢維持手段が、前記化粧カバーの内周面に突設された突起に対して跨る状態で表裏に係合させるために前記遮断体の周方向複数箇所に形成されたスリットから構成されている点にある。
【００２４】
上記特徴構成によれば、前記遮断体に形成されたスリットを境にして、それの両側に位置する部分を化粧カバーの内周面に突設された突起に対して跨る状態で表裏に係合させることにより、前記遮断体の装着作業の容易性を維持しつつ該遮断体を化粧カバーに対して遮断姿勢に確実、強固に取付けることができる。
【発明を実施するための最良の形態】
【００２５】
〔第１実施形態〕
図１は、空調設備の室内機取付け予定位置と室外機設置予定位置との間にわたる配管類配設ルートに沿って、冷媒管やドレーンホース等の配管類の配設通路Ｒを形成する複数種類の二分割構造の合成樹脂製の化粧カバーＡを予め取付けておく化粧カバー事前施工方法を採用して、躯体の一例である壁体Ｗの外壁面Ｗａに、前記化粧カバーＡの一例で、壁体Ｗに形成された貫通孔Ｈを通した後外面に沿う姿勢へと導出された配管類の屈曲部分を外套状態で保護するウォールコーナーカバーＡ１と、壁体Ｗの外壁面Ｗａに沿って配設される配管類の直線部分を外套状態で保護する複数本の直管状カバーＡ２と、隣接する直管状カバーＡ２の端部同士を一直線状に接続する直線継手カバーＡ３と、隣接する直管状カバーＡ２の端部同士を直角に接続する直角継手カバーＡ４と、直管状カバーＡ２に対する接続口よりも小面積の配管類導出口を備えた端末カバーＡ５とを取付けた場合を示す。
【００２６】
前記直管状カバーＡ２は、図２〜図７に示すように、偏平Ｕ字状の横断面形状に樹脂成形された樋状取付け部材１と、偏平Ｕ字状の横断面形状に樹脂成形された樋状蓋部材２とからなり、前記樋状蓋部材２の両側壁部２Ａの先端には、天井壁部２Ｂの内面側に向かって略レの字状に突出する係合雄部２ａが長手方向に沿って一体形成されているとともに、前記樋状取付け部材１の両側壁部１Ａの先端には、樋状蓋部材２の係合雄部２ａが脱着自在に係合する係合雌部１ａと、該係合雌部１ａへ係合操作される樋状蓋部材２の係合雄部２ａとの当接に連れて両側壁部１Ａを内方側に弾性変形させながら係合案内する係合ガイド部１ｂとが長手方向に沿って一体形成されている。
【００２７】
前記直線継手カバーＡ３は、図２〜図７に示すように、直管状カバーＡ２に外装可能な大きさで偏平Ｕ字状の横断面形状に樹脂成形された取付け部材３と、同じく直管状カバーＡ２に外装可能な大きさで偏平Ｕ字状の横断面形状に樹脂成形された蓋部材４とからなり、前記取付け部材３の両側壁部３Ａの先端には、該側壁部３Ａの板厚の半分の厚みで内面側を面一にして突出する嵌合雌部３ａが長手方向に沿って一体形成されているとともに、前記蓋部材４の両側壁部４Ａの先端には、前記取付け部材３の嵌合雌部３ａに嵌合するべく、側壁部４Ａの板厚の半分の厚みで外面側を面一にして突出する嵌合雄部４ａが長手方向に沿って一体形成されている。
【００２８】
また、前記取付け部材３の両側壁部３Ａ及び底壁部３Ｂの内面には、蓋部材４側から挿入されたネジ５をネジ込み固定可能な左右一対の取付け筒体３Ｃと、前記直線継手カバーＡ３の内周面に突設される突起の一例で、直線継手カバーＡ３の各接続口から差し込み接続される直管状カバーＡ２の先端面と接続方向から接当することにより該直管状カバーＡ２の接続長さを規制する板状の規制片３Ｄが一体形成されているとともに、前記両側壁部３Ａの内面に位置する規制片３Ｄと底壁部３Ｂの内面に位置する規制片３Ｄとが周方向で分離形成されている。
【００２９】
更に、前記蓋部材４の両側壁部４Ａ側には、取付け部材３の取付け筒体３Ｃにネジ込み固定されるネジ５の頭部を受止めるネジ受け凹部４Ｃが一体形成されているとともに、前記蓋部材４の両側壁部４Ａ及び天井壁部４Ｂの内面には、前記直線継手カバーＡ３の内周面に突設される突起の一例で、直線継手カバーＡ３の各接続口から差し込み接続される直管状カバーＡ２の先端面と接続方向から接当することにより該直管状カバーＡ２の接続長さを規制する板状の規制片４Ｄが一体形成され、前記両側壁部４Ａの内面に位置する規制片４Ｄと天井壁部４Ｂの内面に位置する規制片４Ｄとが周方向で分離形成されている。
【００３０】
そして、前記直線継手カバーＡ３内には、これの配設通路Ｒを遮断又はそれに近い状態で閉止するする化粧カバー用遮断具Ｂが選択的に装着可能に構成されており、この化粧カバー用遮断具Ｂは、直線継手カバーＡ３の内周面の特定部位である規制片３Ｄ，４Ｄの形成箇所の横断輪郭形状と同一又はそれに近い輪郭形状に構成された弾性変形可能な合成樹脂製（例えば、板状に発泡させた発泡ポリプロピレン）又は紙製の遮断体６を備え、この遮断体６には、前記直線継手カバーＡ３の一方の接続口側に位置する規制片３Ｄ，４Ｄ又は他方の接続口側に位置する規制片３Ｄ，４Ｄとの係合により該遮断体６を遮断姿勢に維持する姿勢維持手段７が設けられている。
【００３１】
前記姿勢維持手段７は、前記直線継手カバーＡ３の内周面に突設された規制片３Ｄと遮断体６との係合により該遮断体６を遮断姿勢に維持する係合手段の一例で、前記遮断体６の左右の側縁６Ａに開口し、かつ、取付け部材３の一方の接続口側に位置する規制片３Ｄ又は他方の接続口側に位置する規制片３Ｄに対して跨る状態で表裏に係合させるために横方向に沿って切り込み形成されたスリットから構成されている。
【００３２】
前記スリット７は、取付け部材３の規制片３Ｄに係合させる関係上、遮断体６の側縁６Ａの上下中央位置よりも下方（取付け部材３の底壁部３Ｂ側）に偏倚した位置に形成されているため、直線継手カバーＡ３への装着時に遮断体６の向き姿勢を注意する必要があるが、本発明では、遮断体６の上縁６Ｂの中央位置に、上方（蓋部材４の天井壁部４Ｂ側）を示すＶ字状の切欠き８が形成されているため、遮断体６の向き姿勢を簡単、確実に確認することができる。
【００３３】
そして、前記遮断体６を直線継手カバーＡ３に装着する場合には、前記スリット７を境にして分断された遮断体６の側縁６Ａにおける下部側縁部分６ａと上部側縁部分６ｂを、取付け部材３の規制片３Ｄに跨る状態でそれの表裏面に係合させるだけでも、遮断体６を遮断姿勢に維持することができるが、より強固に装着する場合には、前記遮断体６の下縁６Ｃを、取付け部材３の底壁部３Ｂ側の規制片３Ｄに対して遮断体６の側縁６Ａにおける下部側縁部分６ａとは逆の面に係合させるか、更に、これに加えて、前記遮断体６の上縁６Ｂを、蓋部材４の天井壁部４Ｂ側の規制片４Ｄに対して遮断体６の側縁６Ａにおける上部側縁部分６ｂとは逆の面に係合させるとよい。
【００３４】
また、前記遮断体６は、直線継手カバーＡ３の規制片３Ｄ，４Ｄと直管状カバーＡ２の先端面との間で挾持保持されるため、この直線継手カバーＡ３の規制片３Ｄ，４Ｄと直管状カバーＡ２の先端面とをもって、遮断体６を遮断姿勢に維持する姿勢維持手段７の別形態を構成している。
【００３５】
前記端末カバーＡ５は、図８に示すように、直管状カバーＡ２に外装可能な大きさで偏平Ｕ字状の横断面形状に樹脂成形された取付け部材１０と、同じく直管状カバーＡ２に外装可能な大きさで偏平Ｕ字状の横断面形状に樹脂成形され、かつ、天井壁部１１Ｂが「へ」の字状に屈曲形成された蓋部材１１とからなり、前記取付け部材１０の両側壁部１０Ａと蓋部材１１の両側壁部１１Ａとの嵌合部も「へ」の字状に屈曲形成されている。
【００３６】
前記取付け部材１０の両側壁部１０Ａ及び底壁部１０Ｂの内面には、蓋部材１１側から挿入されたネジ５をネジ込み固定可能な左右一対の取付け筒体１０Ｃと、前記端末カバーＡ５の内周面に突設される突起の一例で、端末カバーＡ５の接続口から差し込み接続される直管状カバーＡ２の先端面と接続方向から接当することにより該直管状カバーＡ２の接続長さを規制する板状の規制片１０Ｄが一体形成されているとともに、前記両側壁部１０Ａの内面に位置する規制片１０Ｄと底壁部１０Ｂの内面に位置する規制片１０Ｄとが周方向で分離形成されている。
【００３７】
前記蓋部材１１の両側壁部１１Ａ側には、取付け部材１０の取付け筒体１０Ｃにネジ込み固定されるネジ５の頭部を受止めるネジ受け凹部１１Ｃが一体形成されているとともに、前記蓋部材１１の両側壁部１１Ａ及び天井壁部１１Ｂの内面には、前記端末カバーＡ５の内周面に突設される突起の一例で、端末カバーＡ５の接続口から差し込み接続される直管状カバーＡ２の先端面と接続方向から接当することにより該直管状カバーＡ２の接続長さを規制する板状の規制片１１Ｄが一体形成され、前記両側壁部１１Ａの内面に位置する規制片１１Ｄと天井壁部１１Ｂの内面に位置する規制片１１Ｄとが周方向で分離形成されている。
【００３８】
そして、上述の如く構成された端末カバーＡ５内にも、これの配設通路Ｒを遮断又はそれに近い状態で閉止する前記化粧カバー用遮断具Ｂの遮断体６が選択的に装着可能に構成されており、この遮断体６を端末カバーＡ５に装着する場合には、前記スリット７を境にして分断された遮断体６の側縁６Ａにおける下部側縁部分６ａと上部側縁部分６ｂを、取付け部材１０の規制片１０Ｄに跨る状態でそれの表裏面に係合させるか、或いは、遮断体６を遮断姿勢に強固に維持するために、これに加えて、前記遮断体６の下縁６Ｃを、取付け部材１０の底壁部１０Ｂ側の規制片１０Ｄに対して遮断体６の側縁６Ａにおける下部側縁部分６ａとは逆の面に係合させるか、更に、これに加えて、前記遮断体６の上縁６Ｂを、蓋部材１１の天井壁部１１Ｂ側の規制片１１Ｄに対して遮断体６の側縁６Ａにおける上部側縁部分６ｂとは逆の面に係合させる。
【００３９】
前記直角継手カバーＡ４は、図９に示すように、直管状カバーＡ２に外装可能な大きさで偏平Ｕ字状の横断面形状に樹脂成形された取付け部材１３と、同じく直管状カバーＡ２に外装可能な大きさで偏平Ｕ字状の横断面形状に樹脂成形された蓋部材１４とからなり、前記取付け部材１３の両側壁部１３Ａの先端には、該側壁部１３Ａの板厚の半分の厚みで内面側を面一にして突出する嵌合雌部１３ａが長手方向に沿って一体形成されているとともに、前記蓋部材１４の両側壁部１４Ａの先端には、前記取付け部材１３の嵌合雌部１３ａに嵌合するべく、側壁部１４Ａの板厚の半分の厚みで外面側を面一にして突出する嵌合雄部１４ａが長手方向に沿って一体形成されている。
【００４０】
また、前記取付け部材１３の両側壁部１３Ａ及び底壁部１３Ｂの内面には、蓋部材１４側から挿入されたネジ５をネジ込み固定可能な取付け筒体１３Ｃと、前記直角継手カバーＡ４の内周面に突設される突起の一例で、直角継手カバーＡ４の各接続口から差し込み接続される直管状カバーＡ２の先端面と接続方向から接当することにより該直管状カバーＡ２の接続長さを規制する板状の規制片１３Ｄが一体形成されているとともに、前記両側壁部１３Ａの内面に位置する規制片１３Ｄと底壁部１３Ｂの内面に位置する規制片１３Ｄとが周方向で分離形成されている。
【００４１】
更に、前記蓋部材１４の両側壁部１４Ａ側には、取付け部材１３の取付け筒体１３Ｃにネジ込み固定されるネジ５の頭部を受止めるネジ受け凹部１４Ｃが一体形成されているとともに、前記蓋部材１４の両側壁部１４Ａ及び天井壁部１４Ｂの内面には、前記直角継手カバーＡ４の内周面に突設される突起の一例で、直角継手カバーＡ４の各接続口から差し込み接続される直管状カバーＡ２の先端面と接続方向から接当することにより該直管状カバーＡ２の接続長さを規制する板状の規制片１４Ｄが一体形成され、前記両側壁部１４Ａの内面に位置する規制片１４Ｄと天井壁部１４Ｂの内面に位置する規制片１４Ｄとが周方向で分離形成されている。
【００４２】
そして、上述の如く構成された直角継手カバーＡ４内にも、これの配設通路Ｒを遮断又はそれに近い状態で閉止する前記化粧カバー用遮断具Ｂの遮断体６が選択的に装着可能に構成されており、この遮断体６を直角継手カバーＡ４に装着する場合には、遮断体６の側縁６Ａにおける下部側縁部分６ａと上部側縁部分６ｂを、取付け部材１３の規制片１３Ｄに跨る状態でそれの表裏面に係合させるか、或いは、遮断体６を遮断姿勢に強固に維持するために、これに加えて、前記遮断体６の下縁６Ｃを、取付け部材１３の底壁部１３Ｂ側の規制片１３Ｄに対して遮断体６の側縁６Ａにおける下部側縁部分６ａとは逆の面に係合させるか、更に、これに加えて、前記遮断体６の上縁６Ｂを、蓋部材１４の天井壁部１４Ｂ側の規制片１４Ｄに対して遮断体６の側縁６Ａにおける上部側縁部分６ｂとは逆の面に係合させる。
【００４３】
前記ウォールコーナーカバーＡ１は、図１０に示すように、前記壁体Ｗの貫通孔Ｈに連通する底壁部側の配管類導入口における前後方向中間位置を分割起点とし、直管状カバーＡ２の一端部が差し込み接続される接続口部の高さ方向中間位置を分割終点とする側面視略変形への字状の分割ラインに沿って分割されているとともに、直管状カバーＡ２に外装可能な大きさで偏平Ｕ字状の横断面形状に樹脂成形された取付け部材１５と、同じく直管状カバーＡ２に外装可能な大きさで偏平Ｕ字状の横断面形状に樹脂成形された蓋部材１６とから構成されている。
【００４４】
また、前記取付け部材１５の両側壁部１５Ａ及び底壁部１５Ｂの内面には、蓋部材１６側から挿入されたネジ５をネジ込み固定可能な左右一対の取付け筒体１５Ｃと、前記ウォールコーナーカバーＡ１の内周面に突設される突起の一例で、ウォールコーナーカバーＡ１の接続口から差し込み接続される直管状カバーＡ２の先端面と接続方向から接当することにより該直管状カバーＡ２の接続長さを規制する板状の規制片１５Ｄが一体形成されているとともに、前記両側壁部１５Ａの内面に位置する規制片１５Ｄと底壁部１５Ｂの内面に位置する規制片１５Ｄとが周方向で分離形成されている。
【００４５】
更に、前記蓋部材１６の両側壁部１６Ａ側には、取付け部材１５の取付け筒体１５Ｃにネジ込み固定されるネジ５の頭部を受止めるネジ受け凹部１６Ｃが一体形成されているとともに、前記蓋部材１６の両側壁部１６Ａ及び天井壁部１６Ｂの内面には、前記ウォールコーナーカバーＡ１の内周面に突設される突起の一例で、ウォールコーナーカバーＡ１の接続口から差し込み接続される直管状カバーＡ２の先端面と接続方向から接当することにより該直管状カバーＡ２の接続長さを規制する板状の規制片１６Ｄが一体形成され、前記両側壁部１６Ａの内面に位置する規制片１６Ｄと天井壁部１６Ｂの内面に位置する規制片１６Ｄとが周方向で分離形成されている。
【００４６】
そして、上述の如く構成されたウォールコーナーカバーＡ１内にも、これの配設通路Ｒを遮断又はそれに近い状態で閉止する前記化粧カバー用遮断具Ｂの遮断体６が選択的に装着可能に構成されており、この遮断体６をウォールコーナーカバーＡ１に装着する場合には、遮断体６の側縁６Ａにおける下部側縁部分６ａと上部側縁部分６ｂを、取付け部材１５の規制片１５Ｄに跨る状態でそれの表裏面に係合させるか、或いは、遮断体６を遮断姿勢に強固に維持するために、これに加えて、前記遮断体６の下縁６Ｃを、取付け部材１５の底壁部１５Ｂ側の規制片１５Ｄに対して遮断体６の側縁６Ａにおける下部側縁部分６ａとは逆の面に係合させるか、更に、これに加えて、前記遮断体６の上縁６Ｂを、蓋部材１６の天井壁部１６Ｂ側の規制片１６Ｄに対して遮断体６の側縁６Ａにおける上部側縁部分６ｂとは逆の面に係合させる。
【００４７】
〔第２実施形態〕
図１１（イ）、（ロ）は、化粧カバー用遮断具Ｂの別実施形態を示し、前記遮断体６を遮断姿勢に維持する係合手段７を、前記遮断体６の左右の側縁６Ａに開口して、取付け部材３の側壁部３Ａ側の規制片３Ｄに対して跨る状態で表裏に係合させるために横方向に沿って切り込み形成された第１スリット７Ａと、遮断体６の上縁６Ｂ及び下縁６Ｃに開口して、取付け部材３の底壁部３Ｂ側の規制片３Ｄ及び蓋部材４の天井壁部４Ｂ側の規制片３Ｄに対して跨る状態で表裏に係合させるために縦方向に沿って切り込み形成された第２スリット７Ｂとから構成してある。
【００４８】
前記第２スリット７Ｂによって遮断体６の下縁６Ｃ及び上縁６Ｂが三つの部分に分断されるため、この分断された三つの分断下縁部分及び分断上縁部分を、取付け部材３の底壁部３Ｂ側の規制片３Ｄ及び蓋部材４の天井壁部４Ｂ側の規制片４Ｄに跨る状態でそれの表裏面に係合させることになる。
尚、その他の構成は、第１実施形態で説明した構成と同一であるから、同一の構成箇所には、第１実施形態と同一の番号を付記してそれの説明は省略する。
【００４９】
〔第３実施形態〕
図１２（イ）、（ロ）は前記遮断体６を遮断姿勢に維持する姿勢維持手段７の別実施形態を示し、前記遮断板６の上縁６Ｂ及び下縁６Ｃの三箇所に、前記化粧カバーＡの一例である直管状カバーＡ２の内周面に接当して遮断体６を遮断姿勢に維持する接当片７Ｃを、周方向で隣接するもの互いに逆方向に向けて突出する状態で折り曲げ形成された接当片７Ｃから構成されている。
【００５０】
また、前記接当片７Ｃは、直管状カバーＡ２の内周面に接触させるだけでもよいが、直管状カバーＡ２に対する位置保持機能を確保するために、前記接当片７Ｃをそれの弾性復元力で直管状カバーＡ２の内周面に押付けるように構成してもよく、更に、前記接当片７Ｃの接触面に粘着層を形成してもよい。
【００５１】
この第３実施形態においては、前記遮断体６の側縁６Ａに、前記直管状カバーＡ２の樋状取付け部材１の両側壁部１Ａに形成された係合雌部１ａ及び係合ガイド部１ｂが入り込む凹部１８が形成されている。
尚、その他の構成は、第１実施形態で説明した構成と同一であるから、同一の構成箇所には、第１実施形態と同一の番号を付記してそれの説明は省略する。
【００５２】
〔その他の実施形態〕
（１）上述の第１実施形態では、前記５種類の化粧カバーＡを接続して配管類の配設通路を連続形成したが、化粧カバーＡの組み合わせは施工条件に応じて適宜変更することができる。
【００５３】
（２）上述の第１実施形態では、前記遮断体６を遮断姿勢に維持する姿勢維持手段７を、化粧カバーＡの内周面に突設された突起と遮断体６との係合により該遮断体６を遮断姿勢に維持する係合手段７が、取付け部材３の一方の接続口側に位置する規制片３Ｄ又は他方の接続口側に位置する規制片３Ｄに対して跨る状態で表裏に係合させるために横方向に沿って切り込み形成されたスリット７から構成されているが、前記規制片３Ｄに対して脱着自在に嵌合するコの字状又はそれに類似する形態の嵌合部から構成してもよい。
【００５４】
（３）上述の第１実施形態では、前記スリット７を遮断体６の周方向複数箇所に形成したが、このスリット７を遮断体６の周方向一箇所に形成してもよい。
【００５５】
（４）上述の第１実施形態では、前記遮断体６を遮断姿勢に維持する姿勢維持手段７を、化粧カバーＡの内周面に突設された突起と遮断体６との係合により該遮断体６を遮断姿勢に維持する係合手段７から構成したが、前記姿勢維持手段７を、二分割構造の化粧カバーＡにおける内周面の特定部位の横断輪郭形状よりも僅かに大きな輪郭形状に形成された弾性変形可能な遮断体６から構成して、この遮断体６の弾性変形による復元力を利用した突っ張り作用により、化粧カバーＡに装着された遮断体６を遮断姿勢に維持するように構成してもよい。
【００５６】
（５）前記姿勢維持手段７としては、遮断体６を遮断姿勢に維持することのできる構成であれば如何なる構造を採用してもよい。
【図面の簡単な説明】
【００５７】
【図１】本発明の化粧カバー構造の第１実施形態を示す複数種類の化粧カバーの施工図
【図２】（イ）は直線継手カバーに遮断体を装着するときの分解正面図、（ロ）は遮断体の装着後の正面図
【図３】直線継手カバーの取付け部材に遮断体を装着するときの斜視図
【図４】直線継手カバーに遮断体を装着するときの分割斜視図
【図５】遮断体の装着後に蓋部材を取付けるときの斜視図
【図６】遮断体の装着状態を示す斜視図
【図７】遮断体を装着したときの断面側面図
【図８】端末カバーＡ５に遮断体を装着したときの断面側面図
【図９】直角継手カバーに遮断体を装着したときの一部切欠き側面図
【図１０】ウォールコーナーカバーに遮断体を装着したときの断面側面図
【図１１】本発明の化粧カバー構造の第２実施形態を示し、（イ）は直線継手カバーに遮断体を装着するときの分解正面図、（ロ）は遮断体の装着後の正面図
【図１２】本発明の化粧カバー構造の第３実施形態を示し、（イ）は直管状カバーに遮断体を装着するときの斜視図、（ロ）は遮断体の装着後の斜視図
【符号の説明】
【００５８】
Ａ        化粧かバー
Ａ１      化粧かバー（ウォールコーナーカバー）
Ａ２      化粧かバー（直管状カバー）
Ａ３      化粧かバー（直線継手カバー）
Ａ４      化粧かバー（直角継手カバー）
Ａ５      化粧かバー（端末カバー）
３Ｄ      突起（規制片）
４Ｄ      突起（規制片）
６        遮断体
７        姿勢維持手段（係合手段、スリット）
７Ａ      第１スリット
７Ｂ      第２スリット
７Ｃ      接当片
１０Ｄ    突起（規制片）
１１Ｄ    突起（規制片）
１３Ｄ    突起（規制片）
１４Ｄ    突起（規制片）
１５Ｄ    突起（規制片）
１６Ｄ    突起（規制片）
【図１】
2008121824.tif 000003
【図２】
2008121824.tif 000004
【図３】
2008121824.tif 000005
【図４】
2008121824.tif 000006
【図５】
2008121824.tif 000007
【図６】
2008121824.tif 000008
【図７】
2008121824.tif 000009
【図８】
2008121824.tif 000010
【図９】
2008121824.tif 000011
【図１０】
2008121824.tif 000012
【図１１】
2008121824.tif 000013
【図１２】
2008121824.tif 000014